(57)【要約】【課題】利用者送受信端末操作時に、所望の薫りを発生させ良好な薫り雰囲気を創出可能とし、良好なコミュニケーションがはかれる送受信端末の薫り発生システムを構成する。【解決手段】薫り選択機能と薫り発生指示機能及び出力装置の薫り発生部をプラグラミング構成し、該薫りを発生させことのできる送受信端末の薫り発生システムを機能構成する。  なお、薫り発生部には、薫りエキスの封入容器に膜に選択的な透過性があり条件に応じて内包物を放出する特性をもつマイクロカプセルを用い、選択され発生指示された薫りエキスの封入マイクロカプセルを選び出す選択機能と放出条件の一つとしての所定温度に加熱を行う作用が機能構成されている。【選択図】図１
2008228062.tif 000002
【特許請求の範囲】
【請求項１】
所定の信号入力及び送受信信号の入力で出力する薫り選択機能及び薫り発生指示機能と、収納する複数種の薫りエキスから選択された薫りを発生するための機能を有する出力装置の薫り発生部を、利用者送受信端末本体内にプログラミング構成して成ることを特徴とする送受信端末の薫り発生システム。
【請求項２】
利用者送受信端末本体内に設けられる出力装置の薫り発生部が、請求項１の信号入力により選択され発生指示された所要の薫りを発生させるため、薫り発生部内に設けられる複数のセルにそれぞれに収納する薫りエキスの封入手段に、膜に選択的な透過性があり条件に応じて内包物を放出する特性をもつマイクロカプセルを用い、発生指示された薫りエキスを封入するマイクロカプセル収納セルの選択機能と、該マイクロカプセルが封入する薫りエキスを放出するための所要条件と、を即可能として成ること特徴とする請求項１記載の送受信端末の薫り発生システム。
【請求項３】
請求項２のマイクロカプセル収納セルに代わり、セル自体に薫りエキスを封入し、封入される薫りエキスの放出部が、条件に応じて内包物を放出させるマイクロカプセルと同質の高分子化合物で被膜された薫りエキス収納セルを複数構成するカートリッジ形状又はシート状として用いてなることを特徴とする請求項１又は２記載の送受信端末の薫り発生システム。
【請求項４】
薫り発生部が、薫りを発生させるための薫り口と、薫りエキス封入のマイクロカプセル又はカートリッジ及びシートを収納又は交換するための開閉機構を有する開閉部を利用者送受信端末本体の所定位置に設けて成ることを特徴とする請求項１又は２、３記載の送受信端末の薫り発生システム。
【発明の詳細な説明】
【技術分野】
【０００１】
本発明は、所定の信号入力及び送受信信号の入力で出力する薫り選択機能及び薫り発生機能を利用者送受信端末本体にプログラミング構成し、所要の薫りを発生させるための薫り発生部を設け、通信回路を介し利用者送受信端末相互間において所望の薫り発生を可能とする送受信端末の薫り発生システムに関するものである。
【背景技術】
【０００２】
利用者送受信端末の通信システムにおいて構成する機能が、ますます多彩にして多機能に機能構成され、視聴覚効果についても相当の配慮と表示及び表現技術の向上がなされている。
また、最近薫り再現方法について、予め利用者に配置される薫り発生装置を接続端末を介して出力させる配信サーバからなる配信システムが考えられているが、これは特定の利用者に対して外部からの情報配信手段によるものであり、利用者送受信端末本体自体に機能構成されているものではない。
したがって、一般に利用される利用者送受信端末相互間における通信環境には「薫り」が存在せず、ましてや画面及び会話の雰囲気を更に醸成可能とする良好な「薫り」をリアルタイムで発生可能とするようなシステム機能はなかった。
【０００３】
このようなことから、使用者端末自体は勿論、例えば利用者送受信端末相互間で、ディスプレイに表示される花や果実の画像を見てイメージする薫り感覚も、個人それぞれの嗅覚記憶の範囲内でのイマジネーションであるのが実状で、現実の「薫り」として嗅覚体感できるものではなく、まして、ストレスを緩和させるようなアロマテラピー的癒し効果などについては、とても期待できないものである。
【特許文献１】特開平２００３−７６８７４号公報
【発明の開示】
【発明が解決しようとする課題】
【０００４】
配信サーバシステムなどを利用する場合は別として、これまでにあっては、使用者端末自体は勿論こと、通信回路を介し利用者送受信端末相互間で行われるディスプレイの表示画像において、豊富な画像素材及び色調選択機能が構成されているが、これら画像や色彩に伴い現実の薫りとして体感できる薫り選択機能及び薫り発生機能手段が構成されていないという点である。
利用者がディスプレイと向き合うとき、バーチャルリアリティーではなく表現される画像と共に実体感できる薫りを、また会話を楽しむ際話題に合った共感できる薫りを利用者送受信端末相互間の通信回路を介して発生可能とすることで、利用者間における良好なコミュニケーション環境を醸成し、更にストレス等を緩和するアロマテラピー的癒し環境を提供することにある。
【課題を解決するための手段】
【０００５】
本発明は、薫り選択機能と薫り発生指示機能とをプログラミング構成し、薫り選択機能及び薫り発生指示機能を所定の信号入力及び送受信信号の入力により出力し、出力装置の薫り発生部に収納する複数の薫りエキス収納セルから該薫りを発生することのできる機能を利用者送受信端末の有する本来機能を損なうことなく該利用者送受信端末本体内に設ける。
出力装置の薫り発生部は、所要の薫りを発生させるため、複数のセル内にそれぞれに収納する薫りエキスの封入手段に、膜に選択的な透過性があり条件に応じて内包物を放出する特性をもつマイクロカプセルを用い、発生指示された薫りエキスを封入するマイクロカプセル収納セルを選択する選択機能と、該マイクロカプセルが封入する薫りエキスを放出するための条件における一つとして所定温度に加熱可能とする手段を採用し、所定の信号入力及び送受信信号の入力を介して出力する前述の選択機能と共に所定温度に加熱可能とする手段を該薫り発生部内に機能構成したことを最も主要な特徴とする。
【発明の効果】
【０００６】
本発明の送受信端末の薫り発生システムは、所定の信号入力及び送受信信号の入力により出力するようにプログラミング構成される薫り選択機能と薫り発生指示機能及び選択された薫りを発生させるための出力装置に、複数の薫りエキスを収納し、所定の機能構成がなされる薫り発生部とを利用者送受信端末本体内に設けることで、ユーザー間の通信会話環境において、ディスプレイに表現される画像とのハーモニー効果のみならず、ユーザーが好みの薫りを選択し発生可能とする機能を選択することにより、該送受信環境における良好なコミュニケーションを醸成しかつリラックスさせることができ、更にこれによるアロマテラピー効果も大いに期待できるという大きな利点がある。
【０００７】
請求項２の薫り発生部が、薫り発生部内に設けられる複数のセルそれぞれに収納する薫りエキスの封入手段に、膜に選択的な透過性があり条件に対応し内包物放出特性を有するマイクロカプセルを採用し、所要の信号入力により出力し発生指示された薫りエキス封入のマイクロカプセル収納セルを選択する選択機能及び薫りエキス放出条件機能を該薫り発生部内に機能構成して備えたことは、出力装置として機能的に大いに優れている。
【０００８】
請求項３のマイクロカプセルの収納セルに代わり、セル自体に薫りエキスを封入し、その薫りエキス放出部が、条件に応じて内包物を放出させるマイクロカプセルと同質の高分子化合物で被膜される薫りエキス封入セルを複数構成可能とするカートリッジ又はシートを用いたことは、薫りエキスにおける種類別の封入及び交換機能などの機能構成に大いに優れている。
【０００９】
請求項４の薫り発生器が、所望とする薫りを発生させるための薫り口と、マイクロカプセル又はカートリッジを収納又は交換するための開閉部を設けたことは利便性に優れている。
【発明を実施するための最良の形態】
【００１０】
送受信操作時における利用者送受信端末相互間に所望の薫り環境を創出し、良好なコミュニケーションを醸成しかつストレスなどを緩和するアロマテラピー的な癒しを提供するという目的を、薫り選択機能と薫り発生指示機能及び出力装置に複数種の薫りエキスを収納又は封入可能とし、選択され発生指示された所望の薫りを発生させることのできる機能を構成する薫り発生器部とを利用者送受信端末本体自体にプログラミング構成することで送受信端末の薫り発生システムを実現した。
【実施例１】
【００１１】
本発明の送受信端末の薫り発生システムの一実施例で、図１は該システムが内部に設定された携帯電話本体を示す説明図で、図２は図１の裏面の説明図である。
【００１２】
本発明の主体はプログラミング構成された薫り選択機能と薫り発生指示機能及び薫り発生装置系の実装方法にあるので、携帯電話システムのソフト、ハードに関わる電子及び機構系の説明は省略する。
以下図面に基づいて詳細に説明する。
【００１３】
本発明の送受信端末の薫り発生システムは、図１に示されるように携帯電話本体１に該携帯電話本来の機能を損なうことなくプログラミング構成して設けられ、所定の信号入力及び送受信信号の入力で出力する薫り選択機能と薫り発生指示機能及び薫り口２と開閉部３を備える薫り発生部とで構成される。
【００１４】
携帯電話本体１の内部に設けられる出力装置の薫り発生部は、携帯電話本体１の送受信操作面の所定箇所に携帯電話本来の機能を損なうことなく、かつ送受信操作時において所要の薫り発生効果を高めることのできるようになされた薫り口２を備え、利用者が送受信操作時に、該薫りを容易に感知できるような位置に配置することで嗅覚による体感を高め、ユーザーにおける薫り効果の向上を計っている。
そして、該薫りエキスを薫り発生部に装填するための開閉部３を携帯電話本体１の裏側に設け、所要とする薫りエキス封入容器を収納又は交換自在としている。
薫り発生部には、選択され発生指示された所要の薫りを発生させるため、薫り発生部内に複数種類別に設けるセルのそれぞれに収納する薫りエキスの封入に、膜に選択的な透過性があり条件に応じて内包物を放出する特性をもつマイクロカプセルが用いられ、選択され発生指示された薫りエキスの封入マイクロカプセルの収納セルを選び出す選択機能と、該収納セル内のマイクロカプセルが封入する薫りエキスを放出するための条件における一つとして所定温度に加熱するという手段を採用することで、選択外のマイクロカプセル収納セル又は収納セル内におけるマイクロカプセル特性に干渉し影響させることのないように、前述の収納セル選択機能と所定温度に加熱可能とする手段が共に薫り発生部内に機能構成されているものである。
また、マイクロカプセルに代わる薫りエキスの封入容器として、セル自体に薫りエキスを封入可能とし、封入される薫りエキスの放出を条件に応じて内包物を放出させるマイクロカプセルと同質の高分子化合物で被膜する放出部を構成し、このような薫りエキス封入セルを複数構成するカートリッジ又はシートが用いられるものもある。
【産業上の利用可能性】
【００１５】
利用者送受信端末相互間における通信環境において、視聴覚では味わうことのできない嗅覚によるリラックス感が、発生される薫り雰囲気により醸成される良好なコミュニケーションが更に得られることから、職場のみならず一般家庭など各分野におけるストレス解消や神経の鎮静を目的とするアロマテラピー療法としての多用途に適用できるものである。
【図面の簡単な説明】
【００１６】
【図１】本発明の送受信端末の薫り発生システムの一実施例携帯電話本体１の形態を示す説明図である。（実施例１）
【図２】図１の裏側の所定位置に設けられた薫り発生部に関わる開閉部３を示す説明図である。
【符号の説明】
【００１７】
１    携帯電話本体
２    薫り口
３    開閉部
【図１】
2008228062.tif 000003
【図２】
2008228062.tif 000004